(57)【要約】【課題】冷蔵室又は冷凍室の断熱材として硬質ウレタンフォームと真空断熱材とを併用した冷蔵庫であって、解体の際に真空断熱材の埋設位置の判断が容易であり、外し残しが生じない冷蔵庫を提供する。【解決手段】冷蔵室又は冷凍室の断熱材として硬質ウレタンフォームと真空断熱材とを併用した冷蔵庫において、真空断熱材の埋設位置を冷蔵庫本体に表示する。【選択図】  図３
2004294038.tif 000002
【特許請求の範囲】
【請求項１】
冷蔵室又は冷凍室の断熱材として硬質ウレタンフォームと真空断熱材とを併用した冷蔵庫において、
真空断熱材の埋設位置を冷蔵庫本体に表示したことを特徴とする冷蔵庫。
【請求項２】
前記真空断熱材の埋設枚数を、前記埋設位置と共に冷蔵庫本体に表示したことを特徴とする請求項１に記載の冷蔵庫。
【請求項３】
冷蔵室又は冷凍室の扉における前記真空断熱材の埋設の有無をその扉に表示したことを特徴とする請求項１又は２に記載の冷蔵庫。
【発明の詳細な説明】
【０００１】
【発明の属する技術分野】
本発明は、断熱材として硬質ウレタンフォームと真空断熱材とを併用した冷蔵庫に関する。
【０００２】
【従来の技術と発明が解決しようとする課題】
冷蔵庫の断熱材としては、硬質ウレタンフォームが主として用いられてきたが、近年、硬質ウレタンフォームより断熱性能の優れた真空断熱材を使用するケースが増加している。真空断熱材とは、芯材を外被材で覆って内部を減圧、封止したものであり、冷蔵庫に使用されるものは通常パネル状をなしている。
【０００３】
真空断熱材の芯材及び外皮材としては種々のものが使用され、外皮材としては、ポリエステルフィルムやナイロンフィルム、ポリエチレンフィルム等の複合ラミネートフィルム等が多く使用されているが、芯材に例えば無機粉末が使用される場合もあり、このような異種材料の組合せからなるためにリサイクルが困難であり、通常は冷蔵庫から取り外した後、埋立や焼却により処分されている。
【０００４】
これに鑑みて真空断熱材のリサイクル率を向上させるために、例えば、特開２００２−１８８７９１号公報には、ポリエステル集綿体等を芯材とし、ダイヤモンドライクカーボンの薄膜を固着したラミネートフィルムとからなる外被材から構成された真空断熱材を冷蔵庫に使用すること、及び使用している真空断熱材の材料種別を冷蔵庫に表示することが提案されている。
【０００５】
しかしながら、断熱材として真空断熱材を単独で用いることは強度等の面から困難であり、例えば特開平１０−２０５９９５号公報に記載されているように、硬質ウレタンフォームと併用されているのが現状である。
【０００６】
真空断熱材を廃棄するにしても、リサイクルするにしても、リサイクル工場での冷蔵庫の解体時に分別する必要があり、手作業で取り外している。ところが、上記のように真空断熱材とウレタンフォームが併用されている状況下で、真空断熱材を使用する機種が増加し、使用枚数も増加すると、どの部分に真空断熱材が埋設されているかの判別が困難となり、取り外し作業に支障を来たすという問題が生じつつある。
【０００７】
本発明は上記に鑑みてなされたものであり、冷蔵室又は冷凍室の断熱材として硬質ウレタンフォームと真空断熱材とを併用した冷蔵庫であって、解体の際に真空断熱材の埋設位置の判断が容易であり、外し残しが生じない冷蔵庫を提供することを目的とする。
【０００８】
【特許文献１】
特開２００２−１８８７９１号公報
【０００９】
【特許文献２】
特開平１０−２０５９９５号公報
【００１０】
【課題を解決するための手段】
請求項１の冷蔵庫は、上記の課題を解決するために、冷蔵室又は冷凍室の断熱材として硬質ウレタンフォームと真空断熱材とを併用した冷蔵庫において、真空断熱材の埋設位置を冷蔵庫本体に表示したものとする。
【００１１】
請求項２の冷蔵庫は、上記冷蔵庫において、真空断熱材の埋設枚数を、埋設位置と共に冷蔵庫本体に表示したものとする。
【００１２】
また、請求項３の冷蔵庫は、上記冷蔵庫において、冷蔵室又は冷凍室の扉における前記真空断熱材の埋設の有無をその扉に表示したものとする。
【００１３】
【発明の実施の形態】
図１及び図２は硬質ウレタンフォームと真空断熱材を併用した冷蔵庫の例を示す縦断面図であり、図１は正面から見た図、図２は側面から見た図である。両図において、符号１は冷蔵室、符号２は野菜室、符号３は冷凍室、符号４は硬質ウレタンフォーム、符号５は真空断熱材、矢印は冷気の流動方向を示す。
【００１４】
これらの図に示されたように、本例の冷蔵庫においては、両側面に各１枚、背面に１枚、天井面に１枚、冷凍庫扉（最下段）に１枚の真空断熱材が硬質ウレタンフォームに埋設されている。
【００１５】
このような冷蔵庫の真空断熱材の埋設位置を示すために、例えば図３に示すようなラベルを冷蔵庫のキャビネット背面等に貼付する。
【００１６】
本例のラベルには、真空断熱材の埋設位置と共にその枚数、及び埋設位置を示す図が併記されている。このように、埋設位置と共に埋設枚数も記載することにより、１の面に複数の真空断熱材が埋設されている場合に、外し残しを防止することができる。また、本図に示すような簡単な図を併記することにより、埋設位置を正確に、かつ直感的に理解させることが可能となる。但し、図３に示したラベルの表示項目や表示の仕方は一例であり、本発明は、これに限定されるものではない。
【００１７】
埋設位置等の表示方法の例としては、上記のようなラベルを付すること以外に、刻印や印刷を冷蔵庫に直接施したり、あるいは無線タグのＩＣチップを付することが挙げられる。
【００１８】
印刷は通常の塗料によるものでもよいが、自然光の下では肉眼では見えない特殊塗料を使用してもよい。ここでいう特殊塗料とは、所定の波長範囲の光に反応して変色（着色）する性質を備えるものであって、解体時に読み取り可能とすることができるものであればよく、公知の特殊光反応変色型顔料を溶液化して塗料としたものを使用できる。特に、可逆的に着色及び無色化するものであれば、これを用いて表示を印刷し、表示内容を確認したのち無色化し、解体時に光照射により着色させて読み取り可能とすることができる。
【００１９】
また、無線タグとは、情報を送信するための媒体として電磁エネルギーを使用する無線周波識別（ＲＦＩＤ）タグであって、例えば販売取引中に物品を認識するために使用されている。無線タグを使用した場合、従来のバーコードシステムで必要であった手動の走査動作なしに、タグに記録された情報を自動的に認識できるので、作業効率が向上する。
【００２０】
上記したラベル等による埋設位置等の表示位置としては、一般的には、キャビネット背面や冷蔵室又は冷凍室の扉の内側等の、意匠を損なわない場所が好ましい。但し、上記した特殊塗料等を用いた場合のように、通常肉眼では見えない表示や意匠を損なわない表示の場合は、表示位置は特に限定されない。
【００２１】
冷蔵室や冷凍室の扉に真空断熱材の埋設の有無を表示した場合は、例えば解体途中でこれらの扉が本体から分離している場合にも、埋設の有無を知ることができる。
【００２２】
【発明の効果】
請求項１の冷蔵庫によれば、硬質ウレタンフォームと真空断熱材を併用した冷蔵庫において、真空断熱材の埋設位置の判断が容易であり、取り外し作業をスムーズに行うことができる。
【００２３】
請求項２の構成によれば、例えば１の面に複数の真空断熱材が使用されている場合等に、真空断熱材の外し残しを防止することができる。
【００２４】
請求項３の構成によれば、冷蔵室や冷凍室の扉が本体から分離している場合にも、真空断熱材の埋設の有無を知ることができる。
【図面の簡単な説明】
【図１】硬質ウレタンフォームと真空断熱材を併用した冷蔵庫の例を示す、正面から見た縦断面図である。
【図２】図１の冷蔵庫の、側面から見た縦断面図である。
【図３】真空断熱材の埋設位置等を示す表示ラベルの一例を示す図である。
【符号の説明】
１……冷蔵室
２……野菜室
３……冷凍室
４……硬質ウレタンフォーム
５……真空断熱材
【図１】
2004294038.tif 000003
【図２】
2004294038.tif 000004
【図３】
2004294038.tif 000005